(57)【要約】  フィラメント特性が向上した貨物拘束システム。この貨物拘束システムは、複数の実質的に平行なフィラメントの束を含む補強材料層を有する積層積荷拘束ストリップを含み、補強層は、補強材料からなる約２１５本〜２７９本の経糸を含み、補強材料からなる各経糸は、補強材料からなる約４８４本のフィラメントを含み、各フィラメントは、約２４グラムの総破断強度を有する１本又は複数本のモノフィラメントストランドを含む。【選択図】図５
2015502297.tif 000002
【特許請求の範囲】
【請求項１】
輸送中に移動力を受ける輸送コンテナー内に貨物を固定する際に使用する可撓性積荷拘束ストリップであって、該可撓性積荷拘束ストリップは、第１の端及び第２の端を有し、該可撓性積荷拘束ストリップは、
第１の側面及び第２の側面を有するとともに、該可撓性積荷拘束ストリップの前記第１の端から前記第２の端にかけて該可撓性積荷拘束ストリップと同じ広がりで延びる第１のカバー材料層と、
前記第１のカバー材料層の前記第１の端から前記第２の端にかけて、該可撓性積荷拘束ストリップの前記第１のカバー材料層の前記第２の側面に沿って同じ広がりで延びるとともに該第２の側面を被覆する第１の粘着層であって、該第１の粘着層は、第１の側面及び第２の側面を有し、前記第１の側面は、前記第１のカバー材料層の前記第２の側面と粘着係合する、第１の粘着層と、
第１の側及び第２の側を有するとともに、前記第１の側が前記第１の粘着層の前記第２の側面に接合している補強層であって、該補強層は、該可撓性積荷拘束ストリップの長さ全体を通って延びる複数の実質的に平行なフィラメントの束を含み、
該補強層は、補強フィラメント材料からなる約２１５本〜２７９本の経糸を含み、
補強フィラメント材料からなる各経糸は、補強材料からなる約４８４本のフィラメントを含み、
補強材料からなる各フィラメントは、１本のフィラメントあたり約２４グラムの総破断強度を有する１本又は複数本のモノフィラメントストランドを含む、補強層と、
第１の側面及び第２の側面を有するとともに、該可撓性積荷拘束ストリップの前記第１の端から、該可撓性積荷拘束ストリップの前記第２の端に向かって５フィート未満か又は５フィートに略等しい、該可撓性積荷拘束ストリップに沿った位置にかけて、前記補強層の前記第２の側面に沿って延びるとともに前記第２の側面を部分的に被覆する第２の粘着層と、
前記補強層の前記第２の側に施される前記第２の粘着層の前記第２の側面と同じ広がりで延びるとともに、前記第２の側面に剥離可能に粘着される剥離材料層であって、該剥離材料層は、使用現場で前記第２の粘着層から剥がされ、該可撓性積荷拘束ストリップを貨物輸送コンテナーの側壁面に剥離可能に貼着することができ、それによって、該可撓性積荷拘束ストリップを可撓性固定部材として用いて、前記補強層の向上したフィラメント有効特性により輸送コンテナー内に貨物を固定することができる、剥離材料層と、
を備える、輸送コンテナー内に貨物を固定する際に使用する可撓性積荷拘束ストリップ。
【請求項２】
補強材料からなる各モノフィラメントストランドは、ガラス繊維材料を含む、請求項１に記載の輸送コンテナー内に貨物を固定する際に使用する可撓性積荷拘束ストリップ。
【請求項３】
補強材料からなる各モノフィラメントストランドは、カーボン繊維材料を含む、請求項１に記載の輸送コンテナー内に貨物を固定する際に使用する可撓性積荷拘束ストリップ。
【請求項４】
補強材料からなる各モノフィラメントストランドは、ポリプロピレン材料を含む、請求項１に記載の輸送コンテナー内に貨物を固定する際に使用する可撓性積荷拘束ストリップ。
【請求項５】
補強材料からなる各モノフィラメントストランドは、ポリエチレン材料を含む、請求項１に記載の輸送コンテナー内に貨物を固定する際に使用する可撓性積荷拘束ストリップ。
【請求項６】
補強材料からなる各モノフィラメントストランドは、ポリオレフィン材料を含む、請求項１に記載の輸送コンテナー内に貨物を固定する際に使用する可撓性積荷拘束ストリップ。
【請求項７】
補強材料からなる各モノフィラメントストランドは、ポリアミド材料を含む、請求項１に記載の輸送コンテナー内に貨物を固定する際に使用する可撓性積荷拘束ストリップ。
【請求項８】
輸送中に移動力を受ける輸送コンテナー内に貨物を固定する際に使用する可撓性積荷拘束ストリップであって、該可撓性積荷拘束ストリップは、第１の端及び第２の端を有し、該可撓性積荷拘束ストリップは、
第１の側面及び第２の側面を有するとともに、該可撓性積荷拘束ストリップの前記第１の端から前記第２の端にかけて該可撓性積荷拘束ストリップと同じ広がりで延びる第１のカバー材料層と、
前記第１のカバー材料層の前記第１の端から前記第２の端にかけて、該可撓性積荷拘束ストリップの前記第１のカバー材料層の前記第２の側面に沿って同じ広がりで延びるとともに該第２の側面を被覆する第１の粘着層であって、該第１の粘着層は、第１の側面及び第２の側面を有し、前記第１の側面は、前記第１のカバー材料層の前記第２の側面と粘着係合する、第１の粘着層と、
第１の側及び第２の側を有するとともに、前記第１の側が前記第１の粘着層の前記第２の側面に接合している補強層であって、該補強層は、該可撓性積荷拘束ストリップの長さ全体を通って延びる複数の実質的に平行なフィラメントの束を含み、
該補強層は、補強フィラメント材料からなる約２１５本〜２７９本の経糸を含み、
補強フィラメント材料からなる各経糸は、補強材料からなる約４８４本のフィラメントを含み、
補強材料からなる各フィラメントは、約１５００デニールのポリエステル材料からなる３本のモノフィラメントストランドを含む、補強層と、
第１の側面及び第２の側面を有するとともに、該可撓性積荷拘束ストリップの前記第１の端から、該可撓性積荷拘束ストリップの前記第２の端に向かって５フィート未満か又は５フィートに略等しい、該可撓性積荷拘束ストリップに沿った位置にかけて、前記補強層の前記第２の側面に沿って延びるとともに前記第２の側面を部分的に被覆する第２の粘着層と、
前記補強層の前記第２の側に施される前記第２の粘着層の前記第２の側面と同じ広がりで延びるとともに、前記第２の側面に剥離可能に粘着される剥離材料層であって、該剥離材料層は、使用現場で前記第２の粘着層から剥がされ、該可撓性積荷拘束ストリップを貨物輸送コンテナーの側壁面に剥離可能に貼着することができ、それによって、該可撓性積荷拘束ストリップを可撓性固定部材として用いて、前記補強層の向上したフィラメント有効特性により輸送コンテナー内に貨物を固定することができる、剥離材料層と、
を備える、輸送コンテナー内に貨物を固定する際に使用する可撓性積荷拘束ストリップ。
【請求項９】
前記補強層は、補強材料からなる約２１５本の経糸を含む、請求項１から８のいずれか１項に記載の輸送コンテナー内に貨物を固定する際に使用する可撓性積荷拘束ストリップ。
【請求項１０】
前記補強層は、補強材料からなる約２４７本の経糸を含む、請求項１から８のいずれか１項に記載の輸送コンテナー内に貨物を固定する際に使用する可撓性積荷拘束ストリップ。
【請求項１１】
前記補強層は、補強材料からなる約２７９本の経糸を含む、請求項１から８のいずれか１項に記載の輸送コンテナー内に貨物を固定する際に使用する可撓性積荷拘束ストリップ。
【発明の詳細な説明】
【技術分野】
【０００１】
本発明は、輸送中の貨物を拘束する改良されたシステムに関する。より詳細には、本発明は、海上輸送、空輸、鉄道輸送又は陸上輸送用のコンテナーの内部に、パレットに載置されているか又はパレットに載置されていないドラム缶、ボックス、剛性容器及び可撓性容器を固定するとともにそれらの望ましくない移動を拘束する新規のラッシングに関する。さらに、本発明は、輸送中の積荷の移動を効果的に抑制する特性を有する、補強材料からなる経糸フィラメント含量が向上したシステムに関する。
【０００２】
［関連出願データ］
本出願は、Matthew Bullockの名義で２０１１年１０月２８日に出願された、「Cargo Restraint System with Enhanced Reinforcement End Filament Content」と題する米国特許出願第１３／２８４０５２号に基づく優先権の利益を主張する。この優先権出願は全体が、引用することにより本明細書の一部をなす。
【背景技術】
【０００３】
米国内外のいずれにおいても、輸出用の積荷はたいてい、インターモーダルコンテナー内に収容される。インターモーダルコンテナーは多くの場合、ボックス、密閉された５５ガロンドラム缶、スーパーサック又はプラスチック補強袋、プラスチック包装束、ケース入り貨物、金属コイル、特別な厚紙ロール、パレットに載置されているプラスチック容器又は金属容器等のような収容エンクロージャーで囲われた貨物を積んでいる。各収容エンクロージャーはかなり重く、動かずに静止している場合があるが、例えば加速、減速又は方向転換等による、船舶、航空機、鉄道車両又はトラックの動きの変化に起因して、大量の輸送積荷にかなりの運動量力が生じ得る。
【０００４】
インターモーダルコンテナーは一般的に、長さが２０フィート又は４０フィートの規格寸法を有しており、構造上自立した非常に頑強な鋼製の波形側壁を有して作製されている。インターモーダルコンテナーは通常、海上輸送の場合は船に積まれ、横揺れ、縦揺れ、うねり、揺動及び波動（surge）の波の力を受ける。これらの力はそれぞれ、インターモーダルコンテナー内の中身に相当なダメージを与える可能性がある。この場合、コンテナーが方向又は速度を変えると、コンテナー内に固定されていない貨物は、コンテナーの内壁と接触するまでその場の（existing）経路に沿って移動し続ける傾向がある。或る種の拘束及び／又は緩衝システムがなければ、貨物は、コンテナーとは独立したかなりの運動量を生じる傾向がある。運動量は、その速度で乗じた積荷質量に等しい。貨物の積荷量が多い場合、速度又は方向の変化が小さくても、相当な運動力を生じる可能性がある。
【０００５】
空の旅の場合、商用旅客機は乱気流を回避するが、場合によっては、晴天乱流又は荒天さえも回避不可能である。さらに、乗客がいない貨物輸送の場合では、本質的に、輸送機は天候条件にかかわらず最直行ルートを用いる可能性がある。
【０００６】
陸路ではインターモーダルコンテナーは多くの場合、鉄道の平台型貨車及び／又は貨物トレーラーに「ピギーバック」される。鉄道車両は、操車場内でのハンププロセスによってともに組付け及び連結することができる。１つの鉄道車両が固定編成された１つの車両列（a stationary string of cars）に連結する場合、衝撃により、車両連結器が揺動を伴ってともにロックする。この衝撃は、鉄道車両内の貨物に衝撃力を与える可能性がある。さらに、輸送中、鉄道車両は、制動力、ランイン及びランアウト、勾配による連結器への衝撃、レールの振動、軌道の窪みによる降下、及び揺動を受ける。同様にして、トラックは、停止力及び始動力、非常ブレーキ、凸凹路床によるがたつき及び揺動、カーブの遠心力、振動等を受け、これらは全て、コンテナー内における固定されている積荷を重力によって移動させる傾向がある。
【０００７】
貨物がコンテナーの内壁又はドアと接触すると、積荷の運動量をゼロに下げるのに必要な力が貨物及び／又はコンテナーによって必然的に吸収される。そのような力の結果、貨物、コンテナーの内壁又はドア、及び貨物のパッキングにダメージをもたらす可能性があり、さらに、貨物が危険物であれば、危険な漏洩を引き起こす場合がある。したがって、輸送中、コンテナーとは独立して貨物が何らかの運動量を生じてしまうことは望ましくない。これは、貨物及びコンテナーを本質的に一体化するとともに輸送時に１つのユニットとして機能上対応するように貨物をコンテナー内に拘束することによって、対処することができる。
【０００８】
輸送時に積荷を固定し、望ましくない移動及びダメージを最小限に抑えるために、積荷収容エンクロージャーは多くの場合、特別に製造されたウッドフレーミング、フロアーブロッキング、ラバーマット、スチールストラッピング、強力なエアバッグ等を用いて、インターモーダルコンテナー、ボックスカー又はトレーラーの床及び／又は側面に固定される。これらの従来の既知の固定用システムは全て、建設コストに関連する制限があり、ぎっしり積み込まれた積荷を固定するのに十分な強度等がない。さらに、食品、ティッシュペーパー製品又は柔らかい紙製品、家具、器具等のような非危険物を少なくとも部分的に固定するには、貨物トレーラーの後ドアを頼みとすることができるが、危険物及び多くの他のタイプの積荷の場合、コンテナーの後ドアを用いることでは、積荷を部分的にすら固定することができない。実際、運輸省及び爆発物取締局の規定に従うには、危険物は、衝撃時にコンテナーの後ドアと接触することも「触れる」ことも許されない。
【０００９】
これまで、貨物は、木材ブレーシングによる積荷固定方法によって安定させることが多かった。このようなシステムは、積荷面とコンテナーの後ドアとの間に木材を意図的に配置することを含む。しかしながら、これは、コスト及び時間のかかる、全体的に非効率な積荷固定手段であり得る。木材によるブレーシング及びブロッキングプロセスは、熟練工を必要とし、多くの場合、請負業者に外注される。さらに、木材バリヤーは設置に時間がかかり得る。
【００１０】
木材ブレーシングは、幾分脆弱であり、突然の衝撃に起因して破損を被る可能性がある。さらに、木材ブレーシングによる従来の積荷ブロッキング方法は、単純に、幾つかの役割を果たし得ない。例えば、インターモーダルコンテナーを満たす最も効率的な手段は、２０フィート長コンテナー内に８０個の５５ガロンドラム缶を２段で積み込むことである。しかしながら、８０樽が積まれる場合、積荷面と従来のインターモーダルコンテナーの後ドアとの間は約４インチしかない。８０個のドラム缶の積荷を適切に支えるのに十分な木材を配置するには、４インチは十分なスペースではない。したがって、木材ブレーシングが拘束システムとして利用される場合、荷主は、容量を満タンにせずにコンテナーを出荷することを余儀なくされる。これにより、輸送効率が下がり、輸送コストが上がる。さらに、針葉樹の木材等の或る種の木材は、特別な燻蒸消毒又は熱処理加工の認可がなければ、国境を越えることは認められていない。
【００１１】
運輸省は、特定の拘束システムが危険な貨物を適切に固定することが可能かどうかを判定する基準を確立している。或る特定の例では、従来の積荷固定及び木材ブレーシングは、危険な貨物を出荷する認可を受けるのに十分に構造上頑強ではなかった。
【００１２】
これまでに見られるロープ、金属製若しくはプラスチック製のストラップ又はスタンド等のような他の既知の拘束手段は、高価であるとともに、性能が十分に機能を果たさない傾向があり、多くの場合、所望の積荷を拘束するには機能上適していない。
【００１３】
幾つかの例では、部分的な積荷のみを移送する場合の出荷にトレーラー又はボックスカーを用いることができる。部分的な積荷はトレーラーの中心位置内に位置決めすることができる。この場合、積荷を固定するのに十分な木製の荷敷きを積荷の前後に組むことは非現実的である可能性がある。その場合、トレーラーの前部は利用されない。さらに、部分的な積荷によっては、パレット上に対称的に位置決めされず、したがって、固定により、積荷が必然的に非対称な状況で収容される。
【００１４】
上記の［０００１］段落に示されている関連特許に開示されているような、改良された可撓性ラッシング貨物固定システム及び方法は、インターモーダルコンテナー等内に積荷を固定する分野において相当な進歩を遂げている。しかしながら、機能上有効であり、費用効果が高く、労働効率が良く、同時にまた運輸省及び爆発物取締局の規定に従うことができる、インターモーダルコンテナー、空輸コンテナー、ボックスカー、貨物トレーラー等内で積荷を固定する必要性が依然として存在する。これに関して、コンテナー内での貨物の望ましくない移動を制限しつつもフィラメント有効特性及びコスト特性が向上した固定システムの必要性が存在する。
【００１５】
先に示唆した制限、及び／又は、有利な積荷拘束システムの望ましい特性は、余すところのない課題であることを意図するのではなく、むしろ、これまでに知られている貨物拘束システムの有効性又は所望性を減じる傾向があり得る多くの課題のうちの一部である。他の注目すべき課題も存在し得るが、これまでに見られる貨物拘束システムは改良の余地があることを立証するには、上記に提示した課題で十分なはずである。
【発明の概要】
【発明が解決しようとする課題】
【００１６】
本発明により、コンテナー内での効率的な積荷固定の課題を排除するか又は最小限に抑えると同時にコンテナー内での効率的な積荷固定の所望の態様のうちの少なくとも幾つかを達成する、インターモーダルコンテナー等内に積荷を固定する新規のシステム及び方法を提供することが、包括的な一目的である。
【００１７】
輸送中に貨物がダメージを受けることを賢明に防ぐとともに、コンテナー積荷の移動を最小限に抑えつつもコンテナー内での積荷の効率的な固定の向上を提供することが、本発明の包括的な別の目的である。
【００１８】
輸送中に、インターモーダルコンテナー、空輸コンテナー、鉄道車両、トレーラー等の側壁に積荷を固定することに関するコスト効果が向上した、インターモーダルコンテナー等用の固定システムを提供することが、本発明の更なる目的である。
【００１９】
インターモーダルコンテナー等内で積荷を固定するのに必要な機能上の特性を維持しつつも、コストが低減した、ラッシング用経糸フィラメント含量の使用を最適化することが、本発明が関する目的である。
【課題を解決するための手段】
【００２０】
本発明の好ましい一実施形態は、輸送中に移動力を受ける輸送コンテナー内に貨物を固定する際に使用する可撓性積荷拘束ストリップを含む。該可撓性積荷拘束ストリップは、第１の端及び第２の端を有し、
該可撓性積荷拘束ストリップは、第１の側面及び第２の側面を有するとともに、該可撓性積荷拘束ストリップの前記第１の端から前記第２の端にかけて該可撓性積荷拘束ストリップと同じ広がりで延びる第１のカバー材料層を備える。
【００２１】
第１の粘着層が、前記第１のカバー材料層の前記第１の端から前記第２の端にかけて、該可撓性積荷拘束ストリップの前記第１のカバー材料層の前記第２の側面に沿って同じ広がりで延びるとともに該第２の側面を被覆する。該第１の粘着層は、第１の側面及び第２の側面を有し、前記第１の側面は、前記第１のカバー材料層と粘着係合する。
【００２２】
該可撓性積荷拘束ストリップは、第１の側及び第２の側を有するとともに、前記第１の側が前記第１の粘着層の前記第２の側面に接合している補強層を更に含む。該補強層は、該可撓性積荷拘束ストリップの長さ全体を通って延びる複数の実質的に平行なフィラメントの束を含む。
該補強層は、補強フィラメント材料からなる約２１５本〜２７９本の経糸を含み、
補強フィラメント材料からなる各経糸は、補強材料からなる約４８４本のフィラメントを含む。
補強材料からなる各フィラメントは、単数本又は複数本のモノフィラメントストランドについて約２４グラムの総破断強度を有する１本又は複数本のモノフィラメントストランドを含む。
【００２３】
第１の側面及び第２の側面を有する第２の粘着層が、該可撓性積荷拘束ストリップの前記第１の端から、該可撓性積荷拘束ストリップの該第１の端から５フィート未満か又は５フィートに略等しい位置にかけて、前記補強層の前記第２の側面に沿って延びるとともに前記第２の側面を部分的に被覆する。
【００２４】
最後に、剥離材料層が、前記補強層の前記第２の側に施される前記第２の粘着層の前記第２の側面と同じ広がりで延びるとともに、前記第２の側面に剥離可能に粘着される。該剥離材料層は、使用現場で前記第２の粘着層から剥がすことができ、該可撓性積荷拘束ストリップを貨物輸送コンテナーの側壁面に剥離可能に貼着するように作用可能であり、それによって、該可撓性積荷拘束ストリップを可撓性固定部材として用いて、向上したフィラメント有効特性により輸送コンテナー内に貨物を固定することができる。
【００２５】
本発明の他の目的及び利点は、添付の図面と併せて検討される以下の好ましい実施形態の詳細な説明により明らかとなるであろう。
【図面の簡単な説明】
【００２６】
【図１】海洋輸送船にインターモーダルコンテナーをクレーンにより持ち上げて積み込んでいる、ドックにおける概略的なコンテナー船の俯瞰図である。
【００２７】
【図２】部分的な積荷がインターモーダルコンテナーの内部に固定されている、平台型トレーラーに固定されたコンテナー内の貨物の内部構成を示す、部分的に切り欠かれた不等角投影図である。
【００２８】
【図３】インターモーダルコンテナー内に貨物を拘束する際に用いるよう、約１２フィート長にカットされるように機能可能な可撓性積荷拘束ストリップの繰出しロールを示すとともに、貨物トレーラーに位置決めされているインターモーダルコンテナーの内壁面への貨物拘束ストリップの適用を開示するように部分的に切り欠かれた図である。
【００２９】
【図４】貯留及び繰出しロールから引き出されるものとして種々のラッシング層の細部を開示している、本発明に従ったラッシングストリップのロールの部分的に切り欠かれた分解図である。
【００３０】
【図５】図４に示されているような可撓性ラッシングストリップの側面図である。
【００３１】
【図６】図５の６−６の断面線に沿った部分断面図であり、可撓性貨物拘束ラッシングの第１の端部分におけるラッシング材料の構造層の構成を開示している。
【００３２】
【図７】本発明の１つの実施形態に従った補強材料からなる１本の経糸の拡大概略断面図である。
【００３３】
【図８】補強材料からなる代替的な経糸構成を開示している、図７と同様の断面図である。
【００３４】
【図９】補強ストランド束を囲んで更に部分的に示されている１本のフィラメントの部分断面概略図である。
【００３５】
【図１０】図７〜図９に示されている補強材料からなるフィラメントのそれぞれを構成する、補強材料の複数の個々のモノフィラメント細繊度ストランドの不等角投影図である。
【発明を実施するための形態】
【００３６】
ここで特に図１を参照すると、概略図は、港においてドック入りしている海洋船１０を示しており、インターモーダルコンテナー１２が船に積み込まれているところである。船に搭載されているか又はドック１６にあるクレーン１４が、インターモーダルコンテナーを積み上げているところが示されており、コンテナーは、海洋船１０のデッキ上に頑強に固定されている。本発明は、インターモーダルコンテナー１２すなわち空輸コンテナー、鉄道車両、貨物トレーラー等内に貨物を固定するのに用いられることが有利であり得る。
【００３７】
図２は、部分的に切り欠かれた不等角投影図であり、本発明の別の機能上の状況を開示している。この図では、陸上輸送用のトラクター２４によって動作可能に牽引されるトレーラー２２に搭載されたインターモーダルコンテナーすなわち貨物コンテナー２０が示されている。これらのようなコンテナーはまた多くの場合、鉄道平台型貨車に直接搭載されるか又は貨物トレーラー２２に取り付けられる。
【００３８】
図２の部分的に切り欠かれている後隅部分は、インターモーダル貨物コンテナー２０の内壁面３２に粘着するように機能可能な貨物拘束ストリップ３０の使用を示す。図２に示されている貨物固定システムは、コンテナー側壁３２の対向する両部分に粘着する粘着セグメント３４の使用によってコンテナー２０の対向する両側壁に粘着する一対の対向する拘束ストリップ３０を含む。拘束ストリップ３０を背後から積荷に巻き付け、５５ガロンドラム缶３８のような固定される貨物３６の後面を支える。拘束ストリップ３０を積荷の面にわたって部分的に重ね、巻き付けて（fold）、トルク工具によって積荷とともにきつく引っ張る。次に、個別の重付け（overlying）パッチセグメント４０を、接合部に適用することで、コンテナー側壁から延びる対向する拘束ストリップ３０を結合して貨物をインターモーダルコンテナー２０の内壁面に固定する。
【００３９】
図３は、インターモーダルコンテナー２０の側壁面３２に適用されて示されている個々の積荷拘束ストリップ３０の図を開示している。これに関して、図３は、繰出しロール４２からカットされるとともに、次にインターモーダルコンテナー２０の側壁３２に適用される個別の積荷拘束ストリップ３０を示す。上記で挙げた関連特許において教示されているように、設置者はまず、ストリップの一端から剥離紙を引き剥がし、手動でストリップ３０をコンテナーの側壁面３２上に位置決めする。次に、ローラー工具４４又は同様の用具を用いて、ストリップ３０の粘着部分をインターモーダルコンテナーの側壁面３２としっかりと係合させてその側壁面３２にしっかりと当接させる。
【００４０】
積荷拘束ストリップ
図４〜図６を参照すると、拘束ストリップ３０のより詳細な図が開示されている。積荷拘束ストリップ３０は、可撓性積荷拘束ストリップ３０の第１の端５６から第２の端５８にかけて、可撓性積荷拘束ストリップ３０と同じ広がりで延びる、第１の側面５２及び第２の側面５４を有する第１のカバー材料層５０を備える。この第１の材料層は、スパンボンドポリエステルとすることができるか、又は、以下で説明される補強層用のカバー又は支持体として機能するのに適した他の材料とすることができる。
【００４１】
第１の粘着層６０が、第１のカバー層５０の第１の端５６から第２の端５８にかけて、可撓性ストリップの第１のカバー材料層５０の第２の側面５４に沿って同一に広がりで延びるとともに第２の側面５４を被覆する。第１の粘着層６０は、第１の側面６２及び第２の側面６４を有する。第１の側面６２は、第１のカバー材料層５０の第２の側面５４と粘着係合する。
【００４２】
可撓性積荷拘束ストリップ３０は、第１の側６８及び第２の側７０を有する補強層６６を更に有する。補強層６６は、第１の側６８が第１の粘着層６０の第２の側面６４に接している。補強層６６は、可撓性積荷拘束ストリップ３０の長さ全体を通って延びる複数束の実質的に平行なフィラメントの束すなわち経糸７２を含む。経糸７２は、仮想上の概ね楕円形の被包内にある状態で図６に概略的に示されている。実際には、１本の経糸７２を隣接する経糸から隔離する別個の又は区別すべき被包は存在せず、経糸はフィラメントの束として一緒になっている傾向がある。
【００４３】
第２の粘着層７４が、可撓性積荷拘束ストリップ３０に施されている。第２の粘着層は、第１の側面７６及び第２の側面７８を有する。第２の粘着層７４は、第２の粘着層７４がＡ−Ａの仮想線まで可撓性積荷拘束ストリップ３０に沿って延びる図４及び図５に示されているように、積荷拘束ストリップ３０の第１の端５６から、可撓性積荷拘束ストリップの第１の端５６から５フィート未満か又は５フィートに略等しい位置にかけて、補強層６６の第２の側７０に沿って延びるとともに第２の側７０を部分的に被覆する。
【００４４】
第２の粘着層７４は基材８０を有することができる。基材が必要であるか又は望ましい場合、基材は、図４及び図６に示されているように第２の粘着層７４内に埋め込まれる。しかしながら、基材８０は、複数の横穴を有するアクリルシート、又は、基材を多孔質にする穴を有する樹脂特異的ポリマー、又は、スクリーン下地の形態にすることができるＶＡＬＥＲＯＮ（商標）から構成することができる。DuPont社、Hoeschst Celanese社等の会社がそのような材料を製造している。代替的には、基材８０は、多孔質でなくともよく、Ｍｙｌａｒ（商標）シートを含んでいてもよい。Ｍｙｌａｒは、DuPont Teijin Films社製の強力ポリエステルフィルムである。
【００４５】
最後に、ワックス紙等の剥離材料層８２が、第２の粘着層７４の第２の側面７８と同じ広がりで延びるとともに第２の側面７８に剥離可能に粘着している。剥離材料層により、可撓性積荷拘束ストリップをロール形態（再び図３〜図５に留意されたい）に製造することが可能になり、剥離材料層は、現場で第２の粘着層７４から機能可能に剥がされる。次に、積荷拘束ストリップ３０が、上述したように第２の粘着層７４を輸送コンテナーの内壁面３２に押し付けることによって貨物輸送コンテナーの側壁面に剥離可能に貼着される。
【００４６】
１つの実施形態では、現場でストリップ３０をロール４２から切り離すことができるように、ストリップ３０には、約１２フィート長の間隔で横断方向にミシン目が付けられている。代替的には、作業現場で用いるのに約１２フィート長の１枚のストリップ３０を形成するよう、図３に示されているように積荷拘束ストリップをロール４２から容易にカットすることができるように、作業現場ストリップ３０の一方の側の１２フィート長のところに印を付けることができる。拘束ストリップ３０は幅が約１６インチであることが好ましいが、側壁面３２における更なる強度及び更なる粘着の必要に応じて、他の幅を代わりに用いることができる。
【００４７】
粘着材６０及び７４は、高粘着性及び高せん断強度の特性を示すとともに金属に対して十分に結合するアクリルから構成される。さらに、粘着材は、インターモーダルコンテナーをあらゆる通常の周囲動作条件で出荷することができるように極めて高い温度特性及び極めて低い温度特性を有しなければならない。最後に、粘着材は低い剥離強度特性を有するべきである。コンテナーを降ろす場合、積荷拘束ストリップ３０は、残滓を残すことなく手によってコンテナーの側壁面３２から逆に剥離することによって容易に剥がすことができる。インターモーダルコンテナーにおいて用いるのに適したタイプの粘着材は、マサチューセッツ州ロックランド所在のVenture Tape社から入手可能である。
【００４８】
補強層構造
ここで図６、図７及び図８を参照すると、補強層６６の個々の束すなわち経糸７０がより詳細に示されている。経糸７０のそれぞれは、断面が、図７に示されているように概ね円形とすることができるか、又は、図８に示されているようにより細長く概ね楕円形とすることができる。いずれの構成においても、経糸は、各経糸の外側境界線を概ね画定する仮想上の外周枠９０を伴って示されている。
【００４９】
経糸７０は、可撓性積荷拘束ストリップ３０の約１６インチの幅にわたって、その幅の端から端まで略均一に分布している。補強材料の１本の経糸あたり約４８４本のフィラメント９２からなる、適正に機能する拘束ストリップ又はラッシング３０の場合、補強フィラメント材料からなる約２１５本〜２７９本の経糸が存在すべきであることが、拘束ラッシングを用いての分析及び試行錯誤の衝撃試験の実施によって確定されている。
【００５０】
経糸の現時点で好ましい数は、各経糸７０について約４８４本のフィラメント９２からなる２４７本の経糸であるが、上記のように約２１５本までのより少ない数の経糸を機能的なものとして使用することができる。
【００５１】
ここで図９及び図１０を参照すると、上記の段落において述べたフィラメント９２のそれぞれは、１本のストランドあたり或る細繊度の３本のモノフィラメントストランド９４から構成されることが好ましい。本発明の好ましい実施形態の場合、約１５００デニールのポリエステルからなるストランドが十分に機能を果たし、各ストランドは約８グラムの破断強度を有することが確定されている。
【００５２】
上述し、図９及び図１０に特に示されているように、モノフィラメントストランド９４のそれぞれは、極細ポリエステルファイバーから構成することができる。代替的には、ポリプロピレン、ポリエチレン、ポリオレフィン、ガラス繊維、アラミド（例えばＫｅｖｌａｒ（登録商標））、炭素繊維等のような、他の細繊度繊維を用いてもよい。Ｋｅｖｌａｒ（登録商標）は、アミド基が全てパラフェニレン基によって分離されたポリアミドである。Ｋｅｖｌａｒ（登録商標）は、デラウェア州ウィルミントン所在のDuPont社の登録商標である。用いるモノフィラメント及び用いるモノフィラメントの数にかかわらず、１本又は複数本のモノフィラメントから構成される、結果として得られるフィラメントは、約２４グラムの破断強度を有するものとする。
【００５３】
本出願及び特許請求の範囲において、「輸送コンテナー」という用語は、貨物を収容することが可能な全ての輸送ユニット形態に関する包括的な意味で用いられている。輸送コンテナーユニットとして、波形状又は平滑な側壁面を有する、インターモーダルコンテナー、空輸コンテナー、鉄道車両（例えばボックスカー、貨物トレーラー）等が挙げられるが、それらに限定されない。
【００５４】
本明細書及び特許請求の範囲において、特定の数値に関して見られる「約、略」という表現は、表されている数値の７．５パーセントの増減を意味するとともにその増減を含む。
【００５５】
本出願において、「デニール」という用語は、モノフィラメントの細さの尺度として用いられる。１「デニール」は、本出願では、９０００メートルのモノフィラメントの質量（グラム）として定義される。例えば、長さが９０００メートル、重さが１５００グラムのポリエステルフィラメントは、１５００デニールのポリエステルモノフィラメントと呼ばれる。
【００５６】
本発明を記載するにあたり、好ましい実施形態の参照を行ってきた。しかしながら、当業者及び本発明の開示に精通する者であれば、添付の特許請求の範囲に規定されているような本発明の範囲内にある、追加、削除、変更、置換及び／又は他の変形を理解することができる。
【図１】
2015502297.tif 000003
【図２】
2015502297.tif 000004
【図３】
2015502297.tif 000005
【図４】
2015502297.tif 000006
【図５】
2015502297.tif 000007
【図６】
2015502297.tif 000008
【図７】
2015502297.tif 000009
【図８】
2015502297.tif 000010
【図９】
2015502297.tif 000011
【図１０】
2015502297.tif 000012
【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
輸送中に移動力を受ける輸送コンテナー内に貨物を固定する際に使用する可撓性積荷拘束ストリップであって、該可撓性積荷拘束ストリップは、第１の端及び第２の端を有し、該可撓性積荷拘束ストリップは、
第１の側面及び第２の側面を有するとともに、該可撓性積荷拘束ストリップの前記第１の端から前記第２の端にかけて該可撓性積荷拘束ストリップと同じ広がりで延びる第１のカバー材料層と、
前記第１のカバー材料層の第１の端から第２の端にかけて、該可撓性積荷拘束ストリップの前記第１のカバー材料層の前記第２の側面に沿って同じ広がりで延びるとともに該第２の側面を被覆する第１の粘着層であって、該第１の粘着層は、第１の側面及び第２の側面を有し、前記第１の粘着層の前記第１の側面は、前記第１のカバー材料層の前記第２の側面と粘着係合する、第１の粘着層と、
第１の側及び第２の側を有するとともに、前記第１の側が前記第１の粘着層の前記第２の側面に接合している補強層であって、該補強層は、該可撓性積荷拘束ストリップの長さ全体を通って延びる複数の実質的に平行なフィラメントの束を含み、
該補強層は、補強フィラメント材料からなる約２１５本〜２７９本の経糸を含み、
補強フィラメント材料からなる各経糸は、補強材料からなる約４８４本のフィラメントを含み、
補強材料からなる各フィラメントは、１本のフィラメントあたり約２４グラムの総破断強度を有する１本又は複数本のモノフィラメントストランドを含む、補強層と、
第１の側面及び第２の側面を有するとともに、該可撓性積荷拘束ストリップの前記第１の端から、該可撓性積荷拘束ストリップの前記第２の端に向かって５フィート未満か又は５フィートに略等しい、該可撓性積荷拘束ストリップに沿った位置にかけて、前記補強層の前記第２の側に沿って延びるとともに前記第２の側を部分的に被覆する第２の粘着層と、
前記補強層の前記第２の側に施される前記第２の粘着層の前記第２の側面と同じ広がりで延びるとともに、前記第２の側面に剥離可能に粘着される剥離材料層であって、該剥離材料層は、使用現場で前記第２の粘着層から剥がされ、該可撓性積荷拘束ストリップを貨物輸送コンテナーの側壁面に剥離可能に貼着することができ、それによって、該可撓性積荷拘束ストリップを可撓性固定部材として用いて、前記補強層の向上したフィラメント有効特性により輸送コンテナー内に貨物を固定することができる、剥離材料層と、
を備える、輸送コンテナー内に貨物を固定する際に使用する可撓性積荷拘束ストリップ。
【請求項２】
前記補強層は、補強材料からなる約２１５本の経糸を含む、請求項１に記載の輸送コンテナー内に貨物を固定する際に使用する可撓性積荷拘束ストリップ。
【請求項３】
前記補強層は、補強材料からなる約２４７本の経糸を含む、請求項１に記載の輸送コンテナー内に貨物を固定する際に使用する可撓性積荷拘束ストリップ。
【請求項４】
前記補強層は、補強材料からなる約２７９本の経糸を含む、請求項１に記載の輸送コンテナー内に貨物を固定する際に使用する可撓性積荷拘束ストリップ。
【請求項５】
補強材料からなる各モノフィラメントストランドは、ガラス繊維材料を含む、請求項１に記載の輸送コンテナー内に貨物を固定する際に使用する可撓性積荷拘束ストリップ。
【請求項６】
補強材料からなる各モノフィラメントストランドは、カーボン繊維材料を含む、請求項１に記載の輸送コンテナー内に貨物を固定する際に使用する可撓性積荷拘束ストリップ。
【請求項７】
補強材料からなる各モノフィラメントストランドは、ポリプロピレン材料を含む、請求項１に記載の輸送コンテナー内に貨物を固定する際に使用する可撓性積荷拘束ストリップ。
【請求項８】
補強材料からなる各モノフィラメントストランドは、ポリエチレン材料を含む、請求項１に記載の輸送コンテナー内に貨物を固定する際に使用する可撓性積荷拘束ストリップ。
【請求項９】
補強材料からなる各モノフィラメントストランドは、ポリオレフィン材料を含む、請求項１に記載の輸送コンテナー内に貨物を固定する際に使用する可撓性積荷拘束ストリップ。
【請求項１０】
補強材料からなる各モノフィラメントストランドは、ポリアミド材料を含む、請求項１に記載の輸送コンテナー内に貨物を固定する際に使用する可撓性積荷拘束ストリップ。
【請求項１１】
輸送中に移動力を受ける輸送コンテナー内に貨物を固定する際に使用する可撓性積荷拘束ストリップであって、該可撓性積荷拘束ストリップは、第１の端及び第２の端を有し、該可撓性積荷拘束ストリップは、
第１の側面及び第２の側面を有するとともに、該可撓性積荷拘束ストリップの前記第１の端から前記第２の端にかけて該可撓性積荷拘束ストリップと同じ広がりで延びる第１のカバー材料層と、
前記第１のカバー材料層の第１の端から第２の端にかけて、該可撓性積荷拘束ストリップの前記第１のカバー材料層の前記第２の側面に沿って同じ広がりで延びるとともに該第２の側面を被覆する第１の粘着層であって、該第１の粘着層は、第１の側面及び第２の側面を有し、前記第１の粘着層の前記第１の側面は、前記第１のカバー材料層の前記第２の側面と粘着係合する、第１の粘着層と、
第１の側及び第２の側を有するとともに、前記第１の側が前記第１の粘着層の前記第２の側面に接合している補強層であって、該補強層は、該可撓性積荷拘束ストリップの長さ全体を通って延びる複数の実質的に平行なフィラメントの束を含み、
該補強層は、補強フィラメント材料からなる約２１５本〜２７９本の経糸を含み、
補強フィラメント材料からなる各経糸は、補強材料からなる約４８４本のフィラメントを含み、
補強材料からなる各フィラメントは、約１５００デニールのポリエステル材料からなる３本のモノフィラメントストランドを含む、補強層と、
第１の側面及び第２の側面を有するとともに、該可撓性積荷拘束ストリップの前記第１の端から、該可撓性積荷拘束ストリップの前記第２の端に向かって５フィート未満か又は５フィートに略等しい、該可撓性積荷拘束ストリップに沿った位置にかけて、前記補強層の前記第２の側に沿って延びるとともに前記第２の側を部分的に被覆する第２の粘着層と、
前記補強層の前記第２の側に施される前記第２の粘着層の前記第２の側面と同じ広がりで延びるとともに、前記第２の側面に剥離可能に粘着される剥離材料層であって、該剥離材料層は、使用現場で前記第２の粘着層から剥がされ、該可撓性積荷拘束ストリップを貨物輸送コンテナーの側壁面に剥離可能に貼着することができ、それによって、該可撓性積荷拘束ストリップを可撓性固定部材として用いて、前記補強層の向上したフィラメント有効特性により輸送コンテナー内に貨物を固定することができる、剥離材料層と、
を備える、輸送コンテナー内に貨物を固定する際に使用する可撓性積荷拘束ストリップ。
【請求項１２】
前記補強層は、補強材料からなる約２１５本の経糸を含む、請求項１１に記載の輸送コンテナー内に貨物を固定する際に使用する可撓性積荷拘束ストリップ。
【請求項１３】
前記補強層は、補強材料からなる約２４７本の経糸を含む、請求項１１に記載の輸送コンテナー内に貨物を固定する際に使用する可撓性積荷拘束ストリップ。
【請求項１４】
前記補強層は、補強材料からなる約２７９本の経糸を含む、請求項１１に記載の輸送コンテナー内に貨物を固定する際に使用する可撓性積荷拘束ストリップ。
【国際調査報告】
2015502297.tif 000013